(57)【要約】【課題】システム構成を大幅に変更することなく、コピー制御情報の内容を変更することが可能な再生装置を実現する。【解決手段】コピー制御情報更新処理部３０１は、データ読み出し部１０１によってＰ／Ｓ−ＥＶＯＢＵが読み出される度に、読み出されたＰ／Ｓ−ＥＶＯＢＵに含まれているポインタ（PTR）によって指定されるタイトルユーセージファイル（ＴＵＦ）内のエントリに更新用コピー制御情報（CCI#2）が定義されているか否かを判別する。更新用コピー制御情報（CCI#2）が定義されているならば、コピー制御情報更新処理部３０１は、Ｐ／Ｓ−ＥＶＯＢに含まれているオリジナルのコピー制御情報（CCI#1）を、更新用コピー制御情報（CCI#2）に置き換える。再生処理部１０３は、Ｐ／Ｓ−ＥＶＯＢＵに含まれているコピー制御情報（CCI#1またはCCI#2）に従ってコピー制限処理を実行する。【選択図】      図２
2008097757.tif 000002
【特許請求の範囲】
【請求項１】
記憶メディアに格納されたデジタルコンテントを再生する再生装置であって、
前記デジタルコンテントには第１のコピー制御情報が埋め込まれており、前記記憶メディアには、前記デジタルコンテントに適用すべき第２のコピー制御情報を定義可能なファィルが格納されており、
前記記憶メディアから前記デジタルコンテントを読み出すデータ読み出し部と、
前記ファィルに前記第２のコピー制御情報が定義されている場合、前記データ読み出し部によって前記記憶メディアから読み出される前記デジタルコンテントに埋め込まれている前記第１のコピー制御情報を、前記ファィルに定義されている前記第２のコピー制御情報に置き換えるコピー制御情報更新処理を実行するコピー制御情報更新処理部と、
前記コピー制御情報更新処理部から出力される前記デジタルコンテントを解析し、前記デジタルコンテントに埋め込まれている、前記第１のコピー制御情報または前記第２のコピー制御情報のいずれかであるコピー制御情報に従って、前記デジタルコンテントがコピーされるのを制限するためのコピー制限処理を実行するコピー制限処理部とを具備することを特徴とする再生装置。
【請求項２】
前記コピー制御情報更新処理部は、前記ファィルの正当性を検証し、前記ファィルの正当性が確認され且つ前記ファィルに前記第２のコピー制御情報が定義されている場合、前記コピー制御情報更新処理を実行することを特徴とする請求項１記載の再生装置。
【請求項３】
前記ファイルには、前記ファイルに定義された前記第２のコピー制御情報が有効であるか否かを示すフラグ情報が格納されており、
前記コピー制御情報更新処理部は、前記フラグ情報が、前記ファイルに定義された前記第２のコピー制御情報が有効であることを示す場合、前記コピー制御情報更新処理を実行することを特徴とする請求項１記載の再生装置。
【請求項４】
前記デジタルコンテントは、複数のビデオオブジェクトユニットを含み、
前記ファイルは、前記デジタルコンテントに適用されるべき使用規則を示す使用規則情報をそれぞれ格納するための複数のエントリを含み、前記各ビデオオブジェクトユニットは、当該ビデオオブジェクトユニットに適用されるべき使用規則情報を格納した前記ファイル内のエントリを示すポインタを含み、
前記コピー制御情報更新処理部は、前記データ読み出し部によって前記記憶メディアからビデオオブジェクトユニットが読み出される度に、前記読み出されたビデオオブジェクトユニットに含まれているポインタによって指定される前記ファイル内のエントリに、前記第２のコピー制御情報が定義されているか否かを判別し、前記第２のコピー制御情報が定義されている場合、前記読み出されたビデオオブジェクトユニットに含まれている前記第１のコピー制御情報を、前記読み出されたビデオオブジェクトユニットに含まれているポインタによって指定されるエントリに定義されている前記第２のコピー制御情報に置き換えることを特徴とする請求項１記載の再生装置。
【請求項５】
記憶メディアに格納されたデジタルコンテントを再生する再生方法であって、
前記デジタルコンテントには第１のコピー制御情報が埋め込まれており、前記記憶メディアには、前記デジタルコンテントに適用すべき第２のコピー制御情報を定義可能なファィルが格納されており、
前記記憶メディアから前記デジタルコンテントを読み出すステップと、
前記ファィルに前記第２のコピー制御情報が定義されている場合、前記記憶メディアから読み出される前記デジタルコンテントに埋め込まれている前記第１のコピー制御情報を、前記ファィルに定義されている前記第２のコピー制御情報に置き換えるコピー制御情報更新処理を実行するステップと、
前記記憶メディアから読み出される前記デジタルコンテントを解析し、前記デジタルコンテントに埋め込まれている、前記第１のコピー制御情報または前記第２のコピー制御情報のいずれかであるコピー制御情報に従って、前記デジタルコンテントがコピーされるのを制限するためのコピー制限処理を実行するステップとを具備することを特徴とする再生方法。
【請求項６】
前記ファィルの正当性を検証するステップをさらに具備し、
前記コピー制御情報更新処理は、前記ファィルの正当性が確認され、且つ前記ファィルに前記第２のコピー制御情報が定義されている場合に実行されることを特徴とする請求項５記載の再生方法。
【請求項７】
前記ファイルには、前記ファイルに定義された前記第２のコピー制御情報が有効であるか否かを示すフラグ情報が格納されており、
前記コピー制御情報更新処理は、前記フラグ情報が、前記ファイルに定義された前記第２のコピー制御情報が有効であることを示す場合に実行されることを特徴とする請求項５記載の再生方法。
【請求項８】
前記デジタルコンテントは、複数のビデオオブジェクトユニットを含み、
前記ファイルは、前記デジタルコンテントに適用されるべき使用規則を示す使用規則情報をそれぞれ格納するための複数のエントリを含み、前記各ビデオオブジェクトユニットは、当該ビデオオブジェクトユニットに適用されるべき使用規則情報を格納した前記ファイル内のエントリを示すポインタを含み、
前記コピー制御情報更新処理は、前記記憶メディアからビデオオブジェクトユニットが読み出される度に、前記読み出されたビデオオブジェクトユニットに含まれているポインタによって指定される前記ファイル内のエントリに、前記第２のコピー制御情報が定義されているか否かを判別する処理と、前記第２のコピー制御情報が定義されている場合、前記読み出されたビデオオブジェクトユニットに含まれている前記第１のコピー制御情報を、前記読み出されたビデオオブジェクトユニットに含まれているポインタによって指定されるエントリに定義されている前記第２のコピー制御情報に置き換える処理とを含むことを特徴とする請求項５記載の再生方法。
【請求項９】
コンピュータに、記憶メディアに格納されたデジタルコンテントを再生する処理を実行させるプログラムであって、
前記デジタルコンテントには第１のコピー制御情報が埋め込まれており、前記記憶メディアには、前記デジタルコンテントに適用すべき第２のコピー制御情報を定義可能なファィルが格納されており、
前記コンピュータに、前記記憶メディアから前記デジタルコンテントを読み出す処理を実行させる手順と、
前記コンピュータに、前記ファィルに前記第２のコピー制御情報が定義されている場合、前記記憶メディアから読み出される前記デジタルコンテントに埋め込まれている前記第１のコピー制御情報を、前記ファィルに定義されている前記第２のコピー制御情報に置き換えるコピー制御情報更新処理を実行させる手順と、
前記コンピュータに、前記記憶メディアから読み出される前記デジタルコンテントを解析し、前記デジタルコンテントに埋め込まれている、前記第１のコピー制御情報または前記第２のコピー制御情報のいずれかであるコピー制御情報に従って、前記デジタルコンテントがコピーされるのを制限するためのコピー制限処理を実行させる手順とを具備することを特徴とするプログラム。
【請求項１０】
前記コンピュータに、前記ファィルの正当性を検証する処理を実行させる手順をさらに具備し、
前記コピー制御情報更新処理は、前記ファィルの正当性が確認され且つ前記ファィルに前記第２のコピー制御情報が定義されている場合に実行されることを特徴とする請求項９記載のプログラム。
【請求項１１】
前記ファイルには、前記ファイルに定義された前記第２のコピー制御情報が有効であるか否かを示すフラグ情報が格納されており、
前記コピー制御情報更新処理は、前記フラグ情報が、前記ファイルに定義された前記第２のコピー制御情報が有効であることを示す場合に実行されることを特徴とする請求項９記載のプログラム。
【請求項１２】
前記デジタルコンテントは、複数のビデオオブジェクトユニットを含み、
前記ファイルは、前記デジタルコンテントに適用されるべき使用規則を示す使用規則情報をそれぞれ格納するための複数のエントリを含み、前記各ビデオオブジェクトユニットは、当該ビデオオブジェクトに適用されるべき使用規則情報を格納した前記ファイル内のエントリを示すポインタを含み、
前記コピー制御情報更新処理は、前記記憶メディアからビデオオブジェクトユニットが読み出される度に、前記読み出されたビデオオブジェクトユニットに含まれているポインタによって指定される前記ファイル内のエントリに、前記第２のコピー制御情報が定義されているか否かを判別する処理と、前記第２のコピー制御情報が定義されている場合、前記読み出されたビデオオブジェクトユニットに含まれている前記第１のコピー制御情報を、前記読み出されたビデオオブジェクトユニットに含まれているポインタによって指定されるエントリに定義されている前記第２のコピー制御情報に置き換える処理とを含むことを特徴とする請求項９記載のプログラム。
【発明の詳細な説明】
【技術分野】
【０００１】
本発明は、記憶メディアに格納されたデジタルコンテントを再生する再生装置および再生方法に関する。
【背景技術】
【０００２】
近年、動画像のデジタル圧縮符号化技術の進展に伴い、ＨＤ（High Definition）規格の高精細映像を扱うことが可能な再生装置（プレーヤ）の開発が進められている。
【０００３】
このようなプレーヤにおいては、ＨＤ  ＤＶＤ（High Definition Digital Versatile Disc）のような記憶メディアが用いられる。ＨＤ  ＤＶＤ（High Definition Digital Versatile Disc）のような記憶メディアを用いることにより、ＨＤ映像データと高品質のサラウンドオーディオデータとを一枚の記憶メディアにパッケージ化することができる。
【０００４】
記憶メディアに格納されたデジタルコンテンツをその不正コピーから保護するための技術としては、従来から、ＣＳＳ（Content Scramble System）のような暗号化技術が知られている。
【０００５】
特許文献１には、コピー制御情報が埋め込まれた、映像データのようなデジタルコンテントのストリームが開示されている。コピー制御情報は、映像データのようなデジタルコンテントのコピーを制限するためのコピープロテクト機能を実現するために使用される。
【特許文献１】特許第３１６２０４６号公報
【発明の開示】
【発明が解決しようとする課題】
【０００６】
ところで、デジタルコンテントの著作権保持者（コンテント所有者）は、デジタルコンテントに対するコピー制御情報の更新を希望する場合がある。例えば、コピー制御情報を、ビデオデータのアナログ出力の許可を示す値から、その禁止を示す値に変更する場合などである。
【０００７】
しかし、新たなコピー制御情報を含むデジタルコンテントのストリーム全体を再生成するためには多くのコストが必要とされる。
【０００８】
新たなコピー制御情報をデジタルコンテントとは独立したデータとして用意すれば、ストリーム全体を再生成する処理を行うことなく、デジタルコンテントに適用されるコピー制御の内容を変更することができる。
【０００９】
しかし、通常のプレーヤのシステムは、コピー制御情報がデジタルコンテントのストリーム中に格納されていることを前提として設計されている。このため、デジタルコンテントとは独立したデータに基づいて、デジタルコンテントのコピーを制限する処理を実行できるようにするためには、プレーヤのシステム構成を大幅に変更しなければならない。
【００１０】
本発明は上述の事情を考慮してなされたものであり、システム構成を大幅に変更することなく、コピー制御情報の内容を変更することが可能な再生装置および再生方法を提供することを目的とする。
【課題を解決するための手段】
【００１１】
上述の課題を解決するため、本発明は、記憶メディアに格納されたデジタルコンテントを再生する再生装置であって、前記デジタルコンテントには第１のコピー制御情報が埋め込まれており、前記記憶メディアには、前記デジタルコンテントに適用すべき第２のコピー制御情報を定義可能なファィルが格納されており、前記記憶メディアから前記デジタルコンテントを読み出すデータ読み出し部と、前記ファィルに前記第２のコピー制御情報が定義されている場合、前記データ読み出し部によって前記記憶メディアから読み出される前記デジタルコンテントに埋め込まれている前記第１のコピー制御情報を、前記ファィルに定義されている前記第２のコピー制御情報に置き換えるコピー制御情報更新処理を実行するコピー制御情報更新処理部と、前記コピー制御情報更新処理部から出力される前記デジタルコンテントを解析し、前記デジタルコンテントに埋め込まれている、前記第１のコピー制御情報または前記第２のコピー制御情報のいずれかであるコピー制御情報に従って、前記デジタルコンテントがコピーされるのを制限するためのコピー制限処理を実行するコピー制限処理部とを具備することを特徴とする。
【発明の効果】
【００１２】
本発明によれば、システム構成を大幅に変更することなく、コピー制御情報の内容を変更することが可能となる。
【発明を実施するための最良の形態】
【００１３】
以下、図面を参照して本発明の実施形態を説明する。
【００１４】
図１には、本発明の一実施形態の係る再生装置の構成例が示されている。この再生装置は映像データ（オーディオビジュアルデータ）のようなデータストリームから構成されるデジタルコンテントを再生するプレーヤである。この再生装置は、例えばＨＤ  ＤＶＤ（High Definition Digital Versatile Disc）のような記憶メディアに予め格納されたデジタルコンテントを再生するＨＤ  ＤＶＤプレーヤ１０として実現されている。ＨＤ  ＤＶＤプレーヤ１０は、記憶メディアに格納されたデジタルコンテントのみならず、インターネットのようなネットワークを介してネットワークサーバからダウンロードしたデジタルコンテントを再生することもできる。
【００１５】
このＨＤ  ＤＶＤプレーヤ１０は、図１に示されているように、ＨＤ  ＤＶＤドライブ１、データ読み出し部１０１、コンテントチェック部１０２、および再生処理部１０３を備えている。
【００１６】
ＨＤ  ＤＶＤドライブ１８によって駆動される光ディスクメディア（ＨＤ  ＤＶＤメディア）に格納されたデジタルコンテントは、例えば、映画、アニメーションのようなオーディオビジュアルコンテントである。オーディオビジュアルコンテントは、ビデオデータとオーディオデータとが多重化されたストリームである。もちろん、オーディオデータのみから構成されるオーディオコンテントが光ディスクメディアに格納されていても良い。
【００１７】
デジタルコンテントは、ＨＤ  ＤＶＤ規格で規定されたエンハンスドビデオオブジェクトＥＶＯＢ（プライマリーエンハンスドビデオオブジェクトＰ−ＥＶＯＢ、またはセカンダリーエンハンスドビデオオブジェクトＳ−ＥＶＯＢ）のようなビデオオブジェクトＶＯＢを含んでいる。ビデオオブジェクトＶＯＢは、複数のビデオオブジェクトユニットＶＯＢＵ（ＨＤ  ＤＶＤ規格で規定された、プライマリーエンハンスドビデオオブジェクトユニットＰ−ＥＶＯＢＵ、セカンダリーエンハンスドビデオオブジェクトＳ−ＥＶＯＢＵ等）から構成されている。ビデオオブジェクトユニットＶＯＢＵは所定の再生時間に対応するデータストリームであり、圧縮符号化されたビデオデータおよび圧縮符号化されたオーディオデータ等を含んでいる。デジタルコンテントは、例えば、Ｐ−ＥＶＯＢＵ、Ｓ−ＥＶＯＢＵのようなビデオオブジェクトユニットＶＯＢＵを単位として暗号化されている。
【００１８】
データ読み出し部１０１は、ＨＤ  ＤＶＤドライブ１８をアクセスして、ＨＤ  ＤＶＤメディアに格納されたデジタルコンテントをリードする。
【００１９】
コンテントチェック部１０２は、Advanced Access Content System (AACS)で規定された著作権保護機能を実現するためのモジュールであり、データ読み出し部１０１と再生処理部１０３との間に配置されている。コンテントチェック部１０２は、データ読み出し部１０１によってＨＤ  ＤＶＤメディアから読み出されるデジタルコンテントを復号（暗号化解除）する処理、デジタルコンテントの正当性を確認するための正当性チェック処理、およびデジタルコンテントのストリーム中に埋め込まれているコピー制御情報を必要に応じて更新するためのコピー制御情報更新処理を実行する。コピー制御情報は、デジタルコンテントに対して適用すべきコピー制限の内容を指定する情報である。コピー制御情報は、各ビデオオブジェクトユニットＶＯＢＵ（Ｐ／Ｓ−ＥＶＯＢＵ）のストリームに多重化されている。
【００２０】
コピー制御情報には、例えば、コピー世代管理情報、アナログ出力制御情報、ＡＰＳ（Analog Protection System）制御情報、等が含まれている。コピー世代管理情報は、コピーの可否、および可能なコピー回数、等を指定する情報である。アナログ出力制御情報は、ビデオデータに対応するアナログ出力信号の出力の許可または禁止を指定する情報である。ＡＰＳ制御情報は、ビデオデータに対応するアナログ出力信号に対してＡＰＳ（マクロビジョンと称されることもある）のようなコピーガードを適用するべきか否かを指定する情報である。
【００２１】
コピー制御情報更新処理は、ＨＤ  ＤＶＤメディアに格納されているタイトルユーセージファイル（ＴＵＦ）と称されるファイル内に、有効な更新用コピー制御情報が定義されている場合に実行される。コピー制御情報更新処理においては、ＨＤ  ＤＶＤメディアから読み出されるデジタルコンテントのストリームに埋め込まれているコピー制御情報は、タイトルユーセージファイル（ＴＵＦ）内に定義されている更新用のコピー制御情報に置き換えられる。そして、更新用のコピー制御情報が埋め込まれたデジタルコンテントのストリームが、再生処理部１０３に送られる。
【００２２】
再生処理部１０３は、コンテントチェック部１０２によって暗号化が解除され、且つ正当性が確認されたデジタルコンテントを再生するための再生処理を実行する。再生処理においては、Ｐ−ＥＶＯＢＵ、Ｓ−ＥＶＯＢＵのような各ビデオオブジェクトユニットＶＯＢＵに含まれるビデオデータおよびオーディオデータをそれぞれデコードする処理等が実行される。
【００２３】
さらに、再生処理部１０３は、コピー制限処理部２０１を備えている。コピー制限処理部２０１は、コンテントチェック部１０２から出力されるデジタルコンテントのストリームを解析し、そのストリームに埋め込まれているコピー制御情報に従って、デジタルコンテントがコピーされるのを制限するためのコピー制限処理を実行する。コピー制限処理においては、例えば、（１）ビデオデータに対応するアナログ出力信号の出力を禁止する処理、または（２）アナログ出力信号に対してＡＰＳ（マクロビジョンと称されることもある）のようなコピーガードを適用する処理、等が実行される。（１）の処理および（２）の処理は、それぞれアナログ出力制御情報およびＡＰＳ制御情報に従って実行される。また、（１）の処理および（２）の処理の各々は、コピー世代管理情報に従って実行することもできる。
【００２４】
コピー制御情報は、Ｐ−ＥＶＯＢＵ、Ｓ−ＥＶＯＢＵのような各ビデオオブジェクトユニットＶＯＢＵ内のナビゲーションパック内に存在する。
【００２５】
再生処理部１０３内のコピー制限処理部２０１は、ストリームを解析することによって各ビデオオブジェクトユニットＶＯＢＵ（Ｐ／Ｓ−ＥＶＯＢ）からナビゲーションパックを検出し、そのナビゲーションパックに含まれているコピー制御情報に従って上述のコピー制限処理を実行する。コピー制限処理部２０１に入力されるＰ／Ｓ−ＥＶＯＢＵ内のナビゲーションパックに含まれているコピー制御情報は、オリジナルのコピー制御情報、またはタイトルユーセージファイル（ＴＵＦ）内に定義されている更新用のコピー制御情報のいずれかである。
【００２６】
図２には、コンテントチェック部１０２の機能構成が示されている。
【００２７】
コンテントチェック部１０２は、上述のコピー制御情報更新処理を実行するために、コピー制御情報更新処理部３０１を備えている。
【００２８】
タイトルユーセージファイル（ＴＵＦ）内に有効な更新用のコピー制御情報（ＣＣＩ＃２）が定義されているならば、コピー制御情報更新処理部３０１は、ＨＤ  ＤＶＤメディアから読み出されるデジタルコンテントのストリームに埋め込まれているオリジナルのコピー制御情報（ＣＣＩ＃１）を更新用のコピー制御情報（ＣＣＩ＃２）に置き換えるコピー制御情報更新処理を実行する。このコピー制御情報更新処理は、例えば、Ｐ−ＥＶＯＢＵ、Ｓ−ＥＶＯＢＵのようなビデオオブジェクトユニットＶＯＢＵ単位で実行される。
【００２９】
すなわち、デジタルコンテントは、連続する複数のビデオオブジェクトユニット（Ｐ／Ｓ−ＥＶＯＢＵ）を含んでいる。タイトルユーセージファイル（ＴＵＦ）は、デジタルコンテントに適用されるべき使用規則（Usage Rule）を示す使用規則（Usage Rule）情報をそれぞれ格納するための複数のエントリを含んでいる。各エントリ内の使用規則（Usage Rule）情報には、更新用のコピー制御情報を含ませることができる。各ビデオオブジェクトユニット（Ｐ／Ｓ−ＥＶＯＢＵ）は、当該ビデオオブジェクト（Ｐ／Ｓ−ＥＶＯＢＵ）に適用されるべき使用規則（Usage Rule）情報を格納したタイトルユーセージファイル（ＴＵＦ）内のエントリを示すポインタ（PTR）を含んでいる。
【００３０】
コピー制御情報更新処理部３０１は、データ読み出し部１０１によってＰ／Ｓ−ＥＶＯＢＵが読み出される度に、読み出されたＰ／Ｓ−ＥＶＯＢＵに含まれているポインタ（PTR）によって指定されるタイトルユーセージファイル（ＴＵＦ）内のエントリに、有効な更新用コピー制御情報（CCI#2）が定義されているか否かを判別する。有効な更新用コピー制御情報（CCI#2）が定義されているならば、コピー制御情報更新処理部３０１は、Ｐ／Ｓ−ＥＶＯＢに含まれているオリジナルのコピー制御情報（CCI#1）を、有効な更新用コピー制御情報（CCI#2）に置き換える。
【００３１】
したがって、コピー制御情報更新処理部３０１は、更新用コピー制御情報（CCI#2）が埋め込まれたＰ／Ｓ−ＥＶＯＢＵをコピー制限処理部２０１に出力することができる。コピー制限処理部２０１は、Ｐ／Ｓ−ＥＶＯＢＵのストリームを解析することによってＰ／Ｓ−ＥＶＯＢＵ内のコピー制御情報を検出するという処理を実行するだけで、更新用コピー制御情報（CCI#2）に従ったコピー制限処理を実行することができる。
【００３２】
図３には、ＨＤ  ＤＶＤメディアの物理的なデータ構造の例が示されている。
【００３３】
ＨＤ  ＤＶＤメディアにおいては、その最内周から順に、バーストカッティングエリア（Burst Cutting Area）、リードインエリア（Lead-in Area）、データエリアが設けられている。データエリアには、暗号化されたタイトルキーファイル、および上述のタイトルユーセージファイル、および暗号化されたデジタルコンテント等が記録されている。タイトルキーファイルは、タイトルキーをそれぞれ含む複数のエントリから構成されている。タイトルキーは、ＥＶＯＢを復号（暗号化解除）するためのキー（コンテントキー）を導出するために使用されるキー（タイトルキー）である。
【００３４】
図４には、暗号化されたデジタルコンテントの構造が示されている。
【００３５】
ＨＤ  ＤＶＤメディアにおいては、プライマリービデオセット２１１とセカンダリービデオセット２１２とアドバンスドリソースファイル（ARF）２１３とを含む、暗号化されたデジタルコンテントを記録することができる。
【００３６】
プライマリービデオセット２１１は圧縮符号化された主ビデオデータおよび圧縮符号化された主オーディオデータ等を含むタイトルセットであり、１以上のプライマリーエンハンスドビデオオブジェクト（Ｐ−ＥＶＯＢ）から構成されている。すなわち、Ｐ−ＥＶＯＢは、主ＡＶデータストリームである。
【００３７】
セカンダリービデオセット２１２はプライマリービデオセットを補完するためのビデオセットであり、圧縮符号化された副ビデオデータおよび圧縮符号化された副オーディオデータ等を含むタイトルセットであり、１以上のセカンダリーエンハンスドビデオオブジェクト（Ｓ−ＥＶＯＢ）から構成されている。すなわち、Ｓ−ＥＶＯＢは、副ＡＶデータストリームである。
【００３８】
アドバンスドリソースファイル（ARF）２１３は、アドバンスドナビゲーションと、アドバンスドエレメントとから構成されている。アドバンスドナビゲーションはデジタルコンテントの再生手順を制御するためのナビゲーションデータであり、XML(eXtensible Markup Language)ドキュメントおよびECMA(International-European association for standardizing information and communication systems)スクリプトなどから構成されている。このナビゲーションデータは、再生シーケンスの記述、メニューの記述、メニューボタンに対するアクションの記述、等を含む。アドバンスドエレメントは、インタラクティブなコンテント再生を実現するために使用されるデータであり、静止画、アニメーション、フォント、効果音などから構成されている。
【００３９】
次に、図５を参照して、プレーヤ１０の具体的な機能構成の例を説明する。
【００４０】
プレーヤ１０は、上述のＨＤ  ＤＶＤドライブ１に加え、記憶装置（Persistent Storage）２、データアクセスマネジャ４０１、ファィルキャッシュ４０２、ナビゲーションマネージャ４０３、プレゼンテーションエンジン４０４、およびコンテントチェック処理モジュール５０１〜５０３を備えている。
【００４１】
データアクセスマネジャ４０１は、ＨＤ  ＤＶＤドライブ１、不揮発性メモリのような記憶装置（Persistent Storage）２、または、ネットワークを介してネットワークサーバ３からデジタルコンテンツを取得する。このデータアクセスマネジャ４０１は、上述のデータ読み出し部１０１に相当するものである。
【００４２】
コンテントチェック処理モジュール５０１〜５０３は上述のコンテントチェック部１０２を構成するモジュール群である。コンテントチェック処理モジュール５０１は、Ｐ−ＥＢＯＢのストリームに対して、上述の復号処理、正当性チェック処理、およびコピー制御情報更新処理を実行する。コンテントチェック処理モジュール５０２は、Ｓ−ＥＢＯＢのストリームに対して、上述の復号処理、正当性チェック処理、およびコピー制御情報更新処理を実行する。コンテントチェック処理モジュール５０３は、ＡＲＦに対して、上述の復号処理および正当性チェック処理を実行する。ＡＲＦは、カプセル化を利用して保護されている。
【００４３】
データアクセスマネジャ４０１によってリードされたＰ−ＥＢＯＢのストリームには、アドバンスドナビゲーションパックADV_PCKが多重化されている。ADV_PCKはＡＲＦを運ぶためのパケットである。各ADV_PCKには、ＡＲＦの一部である部分データが含まれている。
【００４４】
ナビゲーションマネージャ４０３およびプレゼンテーションエンジン４０４は、上述の再生処理部１０３として機能する。プレゼンテーションエンジン４０４は、プライマリビデオプレーヤ（Primary Video Player）、およびセカンダリビデオプレーヤ（Secondary Video Player）を含んでいる。
【００４５】
プライマリビデオプレーヤは、Ｐ−ＥＢＯＢのストリームをデコードして、Ｐ−ＥＢＯＢのストリームを再生する。このプライマリビデオプレーヤは、各Ｐ−ＥＢＯＢＵに含まれるコピー制御情報に基づいて上述のコピー制限処理を実行する機能も含んでいる。Ｐ−ＥＢＯＢに多重化されているADV_PCKは、ナビゲーションマネージャ４０３を介してファイルキャッシュ４０２に格納される。
【００４６】
セカンダリビデオプレーヤは、Ｓ−ＥＢＯＢのストリームをデコードして、Ｓ−ＥＢＯＢのストリームを再生する。このセカンダリビデオプレーヤは、各Ｓ−ＥＢＯＢＵに含まれるコピー制御情報に基づいて上述のコピー制限処理を実行する機能も含んでいる。また、プレゼンテーションエンジン４０４は、アドバンスドエレメントを再生するためのモジュールとして、アドバンスドアプリケーションプレゼンテーションエンジン、フォントレンダリングエンジン、アドバンスドサブタイトルプレーヤ等を含んでいる。
【００４７】
ナビゲーションマネージャ４０３は、ARF内のアドバンスドナビゲーションを解釈し、その解釈結果に基づいてプレゼンテーションエンジン４０４の動作を制御する。
【００４８】
次に、図６を参照して、コピー制御情報がどのようにして更新されるかについて説明する。
【００４９】
図６は、AACSによって保護されたHD DVD VIDEOのA/Vデータの構造と、コピー制御情報更新処理の概念を示している。図６に示されているように、デジタルコンテントつまりAACS保護されたHD DVD VIDEOのA/Vデータは、EVOBU(P/S-EVOBU)単位で、コピー制御情報(CCI)を有する。各EVOBUは、ビデオパック、オーディオパック等に加え、ナビゲーションパック（NV_PCK）を含んでいる。ナビゲーションパック（NV_PCK）内のＧＣＩ(General Control Information)パケットGCI_PKTにはコンテント保護情報CPIが存在し、そのコンテント保護情報CPI内には、タイトルキーファイル内のエントリを示すタイトルキーポインタ(TITLE_KEY_PTR)、タイトルユーセージファイル内のエントリを示すユーゼージルールポインタ（UR_PTR）、およびコピー制御情報(CCI)が含まれている。
【００５０】
タイトルユーセージファイルは、上述したように複数のエントリを含んでいる。各エントリには、使用規則の一つとしてコピー制御情報を定義することができる。また各エントリには、当該エントリに定義されたコピー制御情報が有効であるか否かを示すフラグ情報（PRIORITY FLAG）が設定されている。コンテントチェック部１０２のコピー制御情報更新処理部３０１は、ユーゼージルールポインタ（UR_PTR）によって指定されるタイトルユーセージファイルのエントリ内のフラグ情報（PRIORITY FLAG）を参照して、当該エントリ内に有効な更新用コピー制御情報が定義されているか否かを判別する。フラグ情報（PRIORITY FLAG）が当該エントリに定義されたコピー制御情報が有効であることを示すならば、コピー制御情報更新処理部３０１は、ナビゲーションパック（NV_PCK）内のコピー制御情報を、ユーゼージルールポインタ（UR_PTR）によって指定されるエントリ内のコピー制御情報に置き換える。
【００５１】
使用規則情報には、コピー制御情報の他に、対応するＰ／Ｓ−ＥＶＯＢの再生可能期間を示す情報等も定義することができる。
【００５２】
次に、図７を参照して、タイトルキーファイル内のエントリとタイトルユーセージファイル内のエントリとの間の関係について説明する。
【００５３】
Title Key File とTitle Usage Fileが正しい組み合わせであることを保証するために、コピー制御情報更新処理部３０１は、ナビゲーションパック（NV_PCK）内のタイトルキーポインタ(TITLE_KEY_PTR)によって指定されるタイトルキーファイル内のエントリに格納されているバインディング情報と、ナビゲーションパック（NV_PCK）内のユーゼージルールポインタ（UR_PTR）によって指定されるタイトルユーセージファイル内のエントリに格納されているバインディング情報とが一致するか否かを確認する。バインディング情報は、タイトルキー／使用規則が何に関連づけられているかを示す情報である。コピー制御情報更新処理は、バインディング情報の一致が確認されたときに実行される。
【００５４】
次に、図８のフローチャートを参照して、コピー制御情報更新処理の手順を説明する。
【００５５】
デジタルコンテントの再生が開始される前に、コンテントチェック部１０２は、Title Key FileおよびTitle Usage Fileそれぞれの正当性を確認する（ステップＳ１１）。ステップＳ１１においては、コンテントチェック部１０２は、例えば、Title Key Fileに付加された署名情報等を用いて、Title Key Fileが正当なものであるか否かを金別する。また、コンテントチェック部１０２は、Title Usage Fileの正当性を確認するために、例えば、Title Usage Fileのハッシュ値を計算し、そのハッシュ値が、ＨＤ  ＤＶＤメディアに予め格納されているTitle Usage Fileのハッシュ値に一致するか否かを判別する。
【００５６】
Title Key FileおよびTitle Usage Fileそれぞれの正当性が確認されたならば、デジタルコンテントの再生が開始される。コンテントチェック部１０２は、Ｐ／Ｓ−ＥＶＯＢＵのストリームを入力する（ステップＳ１２）。そして、コンテントチェック部１０２は、Ｐ／Ｓ−ＥＶＯＢＵ内の各パックを解析して、現在入力されているパックがNV_PCKであるか否かを判別する（ステップＳ１３，Ｓ１４）。
【００５７】
現在入力されているパックがNV_PCKであれば（ステップＳ１４のＹＥＳ）、コンテントチェック部１０２は、例えばNV_PCK内のスクランブルビットを参照することによって、NV_PCKが著作権保護されているか否かを判別する（ステップＳ１５）。
【００５８】
NV_PCKが著作権保護されているならば（ステップＳ１６のＹＥＳ）、コンテントチェック部１０２は、NV_PCK内のTITLE_KEY_PTRが示すTitle Key Fileのエントリのバインディング情報と、NV_PCK内のUR_PTRが示すTitle Usage File内のエントリのバインディング情報とが一致するか否かを判別する（ステップＳ１７）。
【００５９】
バインディング情報が一致するならば（ステップＳ１８のＹＥＳ）、コンテントチェック部１０２は、UR_PTRが示すTitle Usage File内のエントリに、有効な更新用コピーコントロール情報が含まれているか否かを判別する（ステップＳ１９）。ステップＳ１９においては、例えば、UR_PTRが示すTitle Usage File内のエントリに更新用コピーコントロール情報CCIが含まれており、且つ当該エントリ内のフラグ情報（PRIORITY FLAG）の値がコピー制御情報の有効を示すことを条件に、コンテントチェック部１０２は、UR_PTRが示すTitle Usage File内のエントリに、有効な更新用コピーコントロール情報が含まれていることを決定する。
【００６０】
有効な更新用コピーコントロール情報が含まれているならば（ステップＳ２０のＹＥＳ）、コンテントチェック部１０２は、NV_PCK内のオリジナルのCCIを、UR_PTRが示すTitle Usage File内のエントリに更新用コピーコントロール情報CCIに書き換える（ステップＳ２１）。
【００６１】
この後、コンテントチェック部１０２は、現在のパックがＰ／Ｓ−ＥＶＯＢＵ内の最後のパックであるか否かを判別する（ステップＳ２２）。現在のパックがＰ／Ｓ−ＥＶＯＢＵ内の最後のパックであるならば（ステップＳ２２のＹＥＳ）、コンテントチェック部１０２は、ステップＳ１２に進み、次のＰ／Ｓ−ＥＶＯＢＵのストリームを入力する。
【００６２】
図９は、AACS保護されたHD DVD VR(Video Recording)フォーマットのA/Vデータ(VOB)の構造と、コピー制御情報更新処理の概念を示している。
【００６３】
HD DVD VRのA/Vデータ(VOB)は、ストリーム中のRDI_PCK(Real-time Data Information パック)と称されるパック内に、コピー制御情報(CCI)を有する。また、RDI_PCKには、Copy Protection Pointerも格納されている。Copy Protection Pointerは、Title Usage Fileのエントリを示す情報である。コピー制御情報更新処理部３０１は、RDI_PCKのCCIを、Copy Protection Pointerによって指定されるTitle Usage Fileのエントリ内に格納されているCCIに置き換える。
【００６４】
次に、図１０のフローチャートを参照して、HD DVD VRのA/Vデータに対するコピー制御情報更新処理の手順を説明する。
【００６５】
デジタルコンテントの再生が開始される前に、コンテントチェック部１０２は、Title Usage Fileの正当性を確認する（ステップＳ３１）。Title Usage Fileの正当性が確認されたならば、デジタルコンテントの再生が開始される。コンテントチェック部１０２は、ＶＯＢのストリームを入力する（ステップＳ３２）。そして、コンテントチェック部１０２は、ＶＯＢ内の各パックを解析して、現在入力されているパックがRDI_PCKであるか否かを判別する（ステップＳ３３，Ｓ３４）。
【００６６】
現在入力されているパックがRDI_PCKであれば（ステップＳ２４のＹＥＳ）、コンテントチェック部１０２は、RDI_PCKが著作権保護されているか否かを判別する（ステップＳ３５）。
【００６７】
RDI_PCKが著作権保護されているならば（ステップＳ３６のＹＥＳ）、コンテントチェック部１０２は、RDI_PCK内のCopy Protection Pointerが示すTitle Usage File内のエントリに、有効な更新用コピーコントロール情報が含まれているか否かを判別する（ステップＳ３７）。
【００６８】
有効な更新用コピーコントロール情報が含まれているならば（ステップＳ３８のＹＥＳ）、コンテントチェック部１０２は、RDI_PCK内のオリジナルのCCIを、Copy Protection Pointerが示すTitle Usage Fileのエントリ内に格納されている更新用コピーコントロール情報CCIに書き換える（ステップＳ３９）。
【００６９】
この後、コンテントチェック部１０２は、現在のパックがＶＯＢ内の最後のパックであるか否かを判別する（ステップＳ４０）。現在のパックがＶＯＢ内の最後のパックであるならば（ステップＳ４０のＹＥＳ）、コンテントチェック部１０２は、ステップＳ３２に進み、次のＶＯＢのストリームを入力する。
【００７０】
以上のように、プレーヤ１０においては、コンテントチェック部１０２は、データ読み出し部１０１と再生処理部１０３との間に位置されており、コンテントチェック部１０２は、ストリーム内のコピーコントロール情報を、必要に応じて、Title Usage Fileに格納されている更新用コピーコントロール情報に置き換える。このため、再生処理部１０３は、Title Usage Fileを何等意識することなく、ストリーム内のコピーコントロール情報に基づいてコピー制限処理を行うだけで、更新されたコピーコントロール情報に対応するコピー制限処理を実行することができる。
【００７１】
よって、通常のDVD再生装置のシステム構成に大きな変更を加えることなく、Title Usage Fileのコピー制御情報を、ストリームのコピー制御に使用することが可能となる。
【００７２】
また、コピー制御情報の変更という、著作権保護技術上、重要性の高い処理を、コンテントチェック部１０２内部で行うことができる。このことにより、コピー制御情報の正当性チェック等の処理を再生処理部１０３等で行わずに済む。
【００７３】
次に、図１１を参照して、プレーヤ１０の具体的なハードウェア構成の例を説明する。
【００７４】
プレーヤ１０は、ＣＰＵ（Central Processing Unit）１１、ノースブリッジ１２、主メモリ１３、サウスブリッジ１４、不揮発性メモリ１５、オーディオコーデック１６、ＵＳＢ（Universal Serial Bus）コントローラ１７、ＨＤ  ＤＶＤドライブ１、オーディオバス１９、グラフィクスバス２０、ＰＣＩ（Peripheral Component Interconnect）バス２１、ビデオコントローラ２２、オーディオコントローラ２３、オーディオデコーダ２４、ビデオデコーダ２５、ブレンド処理部３０、オーディオミキサ（Audio Mix）３１，３２、ビデオエンコーダ４０、およびＨＤＭＩ（High Definition Multimedia Interface）のようなＡＶインタフェース（ＨＤＭＩ−ＴＸ）４１等から構成されている。
【００７５】
本プレーヤ１０においては、プレーヤアプリケーション１５０と、オペレーティングシステム（ＯＳ）とが予め不揮発性メモリ１５にインストールされている。プレーヤアプリケーション１５０はＯＳ上で動作するソフトウェアであり、ＨＤ  ＤＶＤドライブ１またはネットワークサーバから取得されるデジタルコンテントを再生するための制御を行う。図１で説明したデータ読み出し部１０１、コンテントチェック部１０２はプレーヤアプリケーション１５０によって実現することができる。また、図１で説明した再生処理部１０３の機能の一部（コピー制限処理、および一部のデコード処理）もプレーヤアプリケーション１５０によって実現することができる。
【００７６】
ＣＰＵ１１は、本プレーヤ１０の動作を制御するために設けられたプロセッサであり、不揮発性メモリ１５から主メモリ１３にロードされる、ＯＳおよびプレーヤアプリケーション１５０を実行する。ノースブリッジ１２は、ＣＰＵ１１のローカルバスとサウスブリッジ１４との間を接続するブリッジデバイスである。このノースブリッジ１２には、主メモリ１３をアクセス制御するメモリコントローラが内蔵されている。さらに、このノースブリッジ１２には、ＧＰＵ（Graphics Processing Unit）１２０も内蔵されている。
【００７７】
ＧＰＵ１２０は、主メモリ１３の一部の記憶領域に割り当てられたビデオメモリ（ＶＲＡＭ）にＣＰＵ１１によって書き込まれたデータから、グラフィクス画面イメージを形成するグラフィクスデータ（またはグラフィクス画像データと云う）を生成するグラフィクスコントローラである。ＧＰＵ１２０は、ビットブロック転送（bit block transfer）のようなグラフィクス演算機能を用いて、グラフィクスデータを生成する。例えば、ＣＰＵ１１によってＶＲＡＭ上の３つのプレーンにそれぞれ画像データ（サブビデオ、サブピクチャ等）が書き込まれた場合、ＧＰＵ１２０は、それら３つのプレーンに対応する画像データ同士をピクセル毎に重ね合わせるブレンド処理をビットブロック転送を用いて実行し、これによってメインビデオと同じ解像度（例えば１９２０×１０８０ピクセル）を有するグラフィクス画面イメージを形成するためのグラフィクスデータを生成する。
【００７８】
ＧＰＵ１２０は、グラフィクスデータ（デジタルＲＧＢビデオ信号）およびアルファデータから構成されるアルファデータ付きのグラフィクスデータ（ＲＧＢＡデータ）をグラフィクスバス２０を介してブレンド処理部３０に送出する。
【００７９】
サウスブリッジ１４は、ＰＣＩバス２１上の各デバイスを制御する。また、サウスブリッジ１４は、ＨＤ  ＤＶＤドライブ１を制御するためのＩＤＥ（Integrated Drive Electronics）コントローラを内蔵している。さらに、サウスブリッジ１４は、不揮発性メモリ１５、ＵＳＢコントローラ１７、およびオーディオコーデック１６をアクセスする機能を有している。
【００８０】
ＨＤ  ＤＶＤドライブ１は、ＨＤ  ＤＶＤ規格に対応するオーディオ・ビデオ（ＡＶ）コンテントが格納されたＨＤ  ＤＶＤメディアのような蓄積メディアを駆動するためのドライブユニットである。
【００８１】
オーディオコーデック１６は、ソフトウェアによってデコードされたサブオーディオデータをＩ２Ｓ（Inter-IC Sound）形式のデジタルオーディオ信号に変換する。このオーディオコーデック１６は、オーディオバス１９を介してオーディオミキサ（Audio Mix）３１および３２にそれぞれ接続されている。オーディオバス１９は、オーディオコーデック１６とオーディオミキサ（Audio Mix）３１および３２の各々との間に接続された伝送線路である。このオーディオバス１９により、オーディオコーデック１６からのデジタルオーディオ信号は、ＰＣＩバス２１を介さずにオーディオミキサ（Audio Mix）３１および３２にそれぞれ転送される。
【００８２】
ビデオコントローラ２２は、ＰＣＩバス２１に接続されている。このビデオコントローラ２２は、ビデオデコーダ２５とのインターフェースを実行するためのＬＳＩである。ソフトウェアによってＨＤ  ＤＶＤストリームから分離されたメインビデオデータのストリーム（Video Stream）は、ＰＣＩバス２１およびビデオコントローラ２２を介して、ビデオデコーダ２５に送られる。また、ＣＰＵ１１から出力されるデコード制御情報（Control）も、ＰＣＩバス２１およびビデオコントローラ２２を介して、ビデオデコーダ２５に送られる。
【００８３】
ビデオデコーダ２５は、メインビデオデータをデコードして例えば１９２０×１０８０ピクセルの解像度のビデオ画面イメージを形成するデジタルＹＵＶビデオ信号を生成する。このデジタルＹＵＶビデオ信号はブレンド処理部３０に送られる。
【００８４】
オーディオコントローラ２３は、ＰＣＩバス２１に接続されている。オーディオコントローラ２３は、オーディオデコーダ２４とのインターフェースを実行するためのＬＳＩである。ソフトウェアによってＨＤ  ＤＶＤストリームから分離されたメインオーディオデータのストリーム（Audio Stream）は、ＰＣＩバス２１およびオーディオコントローラ２３を介して、オーディオデコーダ２４に送られる。
【００８５】
オーディオデコーダ２４は、メインオーディオデータをデコードしてＩ２Ｓ（Inter-IC Sound）形式のデジタルオーディオ信号を生成する。このデジタルオーディオ信号は、オーディオコントローラ２３を介してオーディオミキサー（Audio Mix）３１および３２にそれぞれ送られる。
【００８６】
ブレンド処理部３０は、ＧＰＵ１２０およびビデオデコーダ２５にそれぞれ結合されており、ＧＰＵ１２０から出力されるグラフィクスデータとビデオデコーダ２５によってデコードされたメインビデオデータとを重ね合わせるためのブレンド処理を実行する。このブレンド処理においては、ＧＰＵ１２０からグラフィクスデータ（ＲＧＢ）と一緒に出力されるアルファデータに基づいて、グラフィクスデータを構成するデジタルＲＧＢビデオ信号とメインビデオデータを構成するデジタルＹＵＶビデオ信号とをピクセル単位で重ね合わせるためのブレンド処理（アルファブレンディング処理）が実行される。この場合、メインビデオデータは下側の画面イメージとして用いられ、グラフィクスデータはメインビデオデータ上に重ねられる上側の画面イメージとして用いられる。
【００８７】
ブレンド処理によって得られる出力画像データは例えばデジタルＹＵＶビデオ信号としてビデオエンコーダ４０およびＡＶインタフェース（ＨＤＭＩ−ＴＸ）４１にそれぞれ供給される。ビデオエンコーダ４０は、ブレンド処理によって得られる出力画像データ（デジタルＹＵＶビデオ信号）をコンポーネントビデオ信号またはＳ−ビデオ信号に変換して、ＴＶ受像機のような外部の表示装置（モニタ）に出力する。ＡＶインタフェース（ＨＤＭＩ−ＴＸ）４１は、デジタルＹＵＶビデオ信号とデジタルオーディオ信号とを含むデジタル信号群を外部のＨＤＭＩ機器に出力する。
【００８８】
オーディオミキサ（Audio Mix）３１は、オーディオコーデック１６によってデコードされたサブオーディオデータとオーディオデコーダ２４によってデコードされたメインオーディオデータとを合成（ミキシング）し、そのミキシング結果をステレオオーディオ信号として出力する。オーディオミキサ（Audio Mix）３２は、オーディオコーデック１６によってデコードされたサブオーディオデータとオーディオデコーダ２４によってデコードされたメインオーディオデータとを合成（ミキシング）し、そのミキシング結果を５．１チャンネルのオーディオ信号として出力する。
【００８９】
なお、図１のプレーヤ１０の機能はすべてコンピュータプログラムによって実現することができるので、このコンピュータプログラムをコンピュータ読み取り可能な記憶媒体を通じて通常のコンピュータに導入するだけで、通常のコンピュータを再生装置１０として機能させることができる。この場合、デコード処理の全てをソフトウェアによって実行してもよいが、デコード処理の一部または全てをハードウェアによって実行することもできる。
【００９０】
また、本実施形態では、ビデオデータとオーディオデータとを含むオーディオビジュアルデータから構成されるコンテントを例示して説明したが、本実施形態のコピー制御情報更新処理の仕組みは、ビデオデータのみから構成されるデジタルコンテント、オーディオデータのみから構成されるデジタルコンテントに対しても適用することができる。
【００９１】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００９２】
【図１】本発明の一実施形態に係る再生装置の構成を示すブロック図。
【図２】図１の再生装置に設けられたコンテントチェック部の構成を示すブロック図。
【図３】図１の再生装置で用いられる記憶メディアの物理データ構造を示す図。
【図４】図１の再生装置で再生されるコンテントの構成を示す図。
【図５】図１の再生装置の機能構成の例を示すブロック図。
【図６】図１の再生装置で再生されるコンテントのデータ構造の例を示す図。
【図７】図１の再生装置で再生されるコンテントと、タイトルキーファイルと、タイトルユーセージファイルとの関係を示す図。
【図８】図１の再生装置によって実行されるコピー制御情報更新処理の手順を示すフローチャート。
【図９】図１の再生装置で再生されるコンテントのデータ構造の他の例を示す図。
【図１０】図１の再生装置によって実行されるコピー制御情報更新処理の他の手順を示すフローチャート。
【図１１】図１の再生装置のハードウェア構成の例を示すブロック図。
【符号の説明】
【００９３】
１…ＨＤ  ＤＶＤドライブ、１０…再生装置、１１…データ読み出し部、１２…コンテントチェック部、１３…再生処理部、２０１…コピー制限処理部、３０１…コピー制御情報更新処理部。
【図１】
2008097757.tif 000003
【図２】
2008097757.tif 000004
【図３】
2008097757.tif 000005
【図４】
2008097757.tif 000006
【図５】
2008097757.tif 000007
【図６】
2008097757.tif 000008
【図７】
2008097757.tif 000009
【図８】
2008097757.tif 000010
【図９】
2008097757.tif 000011
【図１０】
2008097757.tif 000012
【図１１】
2008097757.tif 000013